(57)【要約】【課題】  棒状物の装着や繰り出しをよりスムーズに行え、棒状物の繰り出し量をより微量にでき、使用性、操作性に優れる構造の棒状物の繰り出し容器を提供する。【解決手段】  ケース２１のノッチ部２１ａにおける噛合溝２１Ｂの全体の形成数を、支持体２２の支持片２２ｂのノッチ部２２ａにおける噛合爪２２Ｂの全体の形成数よりも、その倍数を除いた大きい数、例えば、噛合爪２２Ｂの全体の形成数が３つ、噛合溝２１Ｂの全体の形成数が５つにそれぞれ設定し、常時１つの噛合爪２２Ｂだけがいずれか１つの噛合溝２１Ｂに噛合するようにし、噛合爪２２Ｂが噛合溝２１Ｂに対して、噛合状態から非噛合状態、非噛合状態から噛合状態となる動作（ノッチ）が軽くなる。また、噛合爪２２Ｂと噛合溝２１Ｂとが１５回（３×５）噛み合うため、２４°（３６０÷１５）毎のノッチとなり、ノッチ毎にチョーク２７が繰り出され、この繰り出し長さをより微量ずつ調節できる。【選択図】  図３
2009184298.tif 000002
【特許請求の範囲】
【請求項１】
先端部内周面に周方向に等角度で隔てた複数の噛合溝を有するノッチ部を備え、前記先端部を除く内周面に螺旋溝を備えた筒状のケースと、周壁に形成された軸方向に延びる複数のスリットによってそれぞれ複数に分かれたバネ性を持つ拡縮可能な複数の支持片を有する先割れ構造であって、該複数の支持片それぞれの先端部外面に、前記噛合溝と選択的に噛合および非噛合が可能で、かつ、相互に周方向に等角度で隔てた複数の噛合爪を有するノッチ部を備え、先端部側が前記ケース内に回転かつスライド自由に挿入され、後端部に操作用つまみを有する筒状の棒状物支持体と、を備え、前記ケース先端部から該棒状物支持体先端部が所定長さ突出した状態となったときに、前記噛合溝と噛合爪とが非噛合となって前記複数の支持片同士が作る筒状部が拡径して前記棒状物支持体内の棒状物を非把持とし、該棒状物支持体が元位置に戻った状態では、前記噛合溝と噛合爪とが噛合して前記筒状部が縮径して棒状物支持体先端部で棒状物を把持するように構成される一方、外周面から突出する少なくとも１つのガイド爪を備え、前記棒状物支持体内にスライド自由に配設されて該ガイド爪が前記スリットから突出して前記螺旋溝にスライド自由に係合される棒状物支持こまと、前記ケース後端と前記操作用つまみとの間に介装されて、前記棒状物支持体を常時後方向にスライド移動するべく弾性付勢する弾性部材と、を備え、前記棒状物支持こまのガイド爪が螺旋溝に沿って移動して、該棒状物支持こまが棒状物を押しつつスライド移動する棒状物の繰り出し容器であって、前記ケースのノッチ部における噛合溝の全体の形成数を、前記棒状物支持体のノッチ部における噛合爪の全体の形成数よりも、その倍数を除いた大きい数に設定し、常時１つの噛合爪だけがいずれか１つの噛合溝に噛合するようにしたことを特徴とする棒状物の繰り出し容器。
【請求項２】
前記噛合爪の全体の形成数を３つ、前記噛合溝の全体の形成数を５つにそれぞれ設定したことを特徴とする請求項１記載の棒状物の繰り出し容器。
【請求項３】
前記ケースの螺旋溝の前記棒状物支持こまのガイド爪に対する接触面を摩擦係数の小さい材質から形成したことを特徴とする請求項１または２記載の棒状物の繰り出し容器。
【請求項４】
前記操作用つまみの前記棒状物支持体の中心軸と直交する平面形状を、該中心軸からずれた方向に延びた略卵形に形成したことを特徴とする請求項１〜３のうちいずれか１つに記載の棒状物の繰り出し容器。
【請求項５】
前記操作用つまみの延びた部分に、紐材を通すための貫通した紐材取付孔を形成したことを特徴とする請求項４記載の棒状物の繰り出し容器。
【発明の詳細な説明】
【技術分野】
【０００１】
本発明は、白墨，修正棒，カラーステック，棒状糊，棒状消しゴムなどの棒状物を保持し、この棒状物を回転操作により繰り出す棒状物の繰り出し容器に関し、特に、棒状物の装着性や保持性、容器の操作性などを向上する技術に関する。
【背景技術】
【０００２】
学校などにおいて使用される黒板に書くために用いられる白墨（以下、チョークと称する）は、使用経過に従って短くなった場合、指で保持し難くなり、使用が困難となり、廃棄されるため、無駄が生じる。また、チョークを直接指で保持するため、手が汚れ、ひいては、衣服などが汚れるなどの問題もある。このようなチョークの問題は、その他の棒状物、すなわち、修正棒，カラーステック，棒状糊，棒状消しゴムなどにもを相通じるものと言える。
【０００３】
このため、従来では、チョークなどを繰り出し可能に保持する図７に示したような保持具が知られている。このものでは、容器１内にスライド自由に挿通保持されているチョーク保持体２内に挿入されたチョーク５を、チョーク保持体２先端部の把持爪３を容器１の先端部の内周面に挿入位置させて（チョーク保持体２をこれの外周位置に装着されている図示しないスプリングにより容器１内方に引いた状態）、窄まり状態にある把持爪３により把持することによって、使用状態にすることができる。また、チョーク保持体２を押圧して、容器１の先端部から外方に突出させれば（チョーク保持体２をこれの後端部の操作部４を押して容器１外方に押した状態）、把持爪３が拡がり状態になり、チョーク５の把持を解除できる。
【０００４】
一方、従来では、特許文献１〜４などに開示されているように、修正棒，カラーステック，棒状糊，棒状消しゴムなどの棒状物を保持し、この棒状物を回転操作により繰り出す棒状物繰り出し容器も知られている。このものは、例えば、図８に示すように構成され、棒状物Ｓを使用するときには、本体１１の後端部に設けた尾栓１５を正転方向に捻じることにより押軸１２を上昇させ、この押軸１２の先端部が把持体１６の下端部と結合すると共に、この把持体１６を押し上げることにより、棒状物Ｓを筒体１３の先端部から突出させるようになっている。また、棒状物Ｓを使用しないときには、尾栓１５を逆転方向に捻じることにより押軸１２を降下させ、この押軸１２の先端部を把持体１６の下端部と結合した状態で、この把持体１６を引き下げることにより、棒状物Ｓを筒体１３内に没入させるようになっている。
【０００５】
また、これらの持つ問題を解決するものとして、簡単な形状でコンパクトあり、棒状物を安定して支持できると共に、使用性に優れるなどの利点を有する棒状物の繰り出し容器（特許文献５参照）が提案されている。このものは、チョークをケース内に回転かつスライド自由に挿入されたチョーク支持体内にその先端部側から挿入し、このチョーク支持体の回転により、チョーク支持こまのガイド爪部が前記ケースの内周面の螺旋溝に沿って移動することにより、チョークがチョーク支持体内をスライドして、繰り出されるようにしたものである。
【特許文献１】実開平５−５８６７３号公報
【特許文献２】実開平５−６５８７９号公報
【特許文献３】実開平６−２３７９１号公報
【特許文献４】特開平７−２３２４９５号公報
【特許文献５】特開平１１−１２９６８１号公報
【発明の開示】
【発明が解決しようとする課題】
【０００６】
以上のようなチョーク保持具や棒状物の繰り出し容器により要求される点は、チョークや棒状物の装着や繰り出しがよりスムーズに行えると共に、棒状物の繰り出し量をより微量にできる点、また、より使用性、操作性に優れる点であり、その改善が大いに嘱望されていた。
【０００７】
本発明は、上記のような課題に鑑みてなされたものであり、棒状物の装着や繰り出しをよりスムーズに行えると共に、棒状物の繰り出し量をより微量にでき、より使用性、操作性に優れるなど、全ての要求を満足した構造の棒状物の繰り出し容器を提供することを目的とする。
【課題を解決するための手段】
【０００８】
上記した課題を解決するため、請求項１に係る発明の棒状物の繰り出し容器は、先端部内周面に周方向に等角度で隔てた複数の噛合溝を有するノッチ部を備え、前記先端部を除く内周面に螺旋溝を備えた筒状のケースと、周壁に形成された軸方向に延びる複数のスリットによってそれぞれ複数に分かれたバネ性を持つ拡縮可能な複数の支持片を有する先割れ構造であって、該複数の支持片それぞれの先端部外面に、前記噛合溝と選択的に噛合および非噛合が可能で、かつ、相互に周方向に等角度で隔てた複数の噛合爪を有するノッチ部を備え、先端部側が前記ケース内に回転かつスライド自由に挿入され、後端部に操作用つまみを有する筒状の棒状物支持体と、を備え、前記ケース先端部から該棒状物支持体先端部が所定長さ突出した状態となったときに、前記噛合溝と噛合爪とが非噛合となって前記複数の支持片同士が作る筒状部が拡径して前記棒状物支持体内の棒状物を非把持とし、該棒状物支持体が元位置に戻った状態では、前記噛合溝と噛合爪とが噛合して前記筒状部が縮径して棒状物支持体先端部で棒状物を把持するように構成される一方、外周面から突出する少なくとも１つのガイド爪を備え、前記棒状物支持体内にスライド自由に配設されて該ガイド爪が前記スリットから突出して前記螺旋溝にスライド自由に係合される棒状物支持こまと、前記ケース後端と前記操作用つまみとの間に介装されて、前記棒状物支持体を常時後方向にスライド移動するべく弾性付勢する弾性部材と、を備え、前記棒状物支持こまのガイド爪が螺旋溝に沿って移動して、該棒状物支持こまが棒状物を押しつつスライド移動する棒状物の繰り出し容器であって、前記ケースのノッチ部における噛合溝の全体の形成数を、前記棒状物支持体のノッチ部における噛合爪の全体の形成数よりも、その倍数を除いた大きい数に設定し、常時１つの噛合爪だけがいずれか１つの噛合溝に噛合するようにしたことを特徴とする。
【０００９】
請求項２に係る発明の棒状物の繰り出し容器は、前記噛合爪の全体の形成数を３つ、前記噛合溝の全体の形成数を５つにそれぞれ設定したことを特徴とする。
【００１０】
請求項３に係る発明の棒状物の繰り出し容器は、前記ケースの螺旋溝の前記棒状物支持こまのガイド爪に対する接触面を摩擦係数の小さい材質から形成したことを特徴とする。
【００１１】
請求項４に係る発明の棒状物の繰り出し容器は、前記操作用つまみの前記棒状物支持体の中心軸と直交する平面形状を、該中心軸からずれた方向に延びた略卵形に形成したことを特徴とする。
【００１２】
請求項５に係る発明の棒状物の繰り出し容器は、前記操作用つまみの延びた部分に、紐材を通すための貫通した紐材取付孔を形成したことを特徴とする。
【発明の効果】
【００１３】
請求項１に係る発明の棒状物の繰り出し容器によれば、棒状物の繰り出し操作時に、支持体を回転させると、噛合爪が噛合溝に対して、噛合状態から非噛合状態、非噛合状態から噛合状態となる動作、所謂、ノッチが行われ、ノッチ毎に、棒状物が微量ずつ繰り出される。従って、ケースのノッチ部における噛合溝の全体の形成数を、支持体の支持片のノッチ部における噛合爪の全体の形成数よりも、その倍数を除いた大きい数、例えば、噛合爪の全体の形成数が３つ、噛合溝の全体の形成数が５つにそれぞれ設定すれば（請求項２に係る発明の棒状物の繰り出し容器）の如く、常時１つの噛合爪だけがいずれか１つの噛合溝に噛合するため、噛合爪が噛合溝に対して、噛合状態から非噛合状態、非噛合状態から噛合状態となる動作、所謂、ノッチが軽くなる。
【００１４】
請求項２に係る発明の棒状物の繰り出し容器によれば、噛合爪と噛合溝とが１５回（３×５）噛み合うため、２４°（３６０÷１５）毎のノッチとなり、ノッチ毎に棒状物が繰り出されるため、この繰り出し長さをより微量ずつ調節することができる。
【００１５】
請求項３に係る発明の棒状物の繰り出し容器によれば、ケースの螺旋溝の棒状物支持こまのガイド爪に対する接触面を摩擦係数の小さい材質から形成した結果、螺旋溝と支持こまのガイド爪との間の摩擦力が小さく、滑り易くなるため、ケースが簡単に回転して、支持こまの移動がスムーズになり、棒状物を支持体内に素早く装着することができる。
【００１６】
請求項４に係る発明の棒状物の繰り出し容器によれば、操作用つまみの支持体の中心軸と直交する平面形状を該中心軸からずれた方向に延びた略卵形に形成に形成したため、容器を机などに置いたときに転がったりせず、安定して置くことができると共に、略卵形であるため、掌だけでなく、指にも当たり、操作用つまみを手の中で回転（捻じり）させ易い。
【００１７】
請求項５に係る発明の棒状物の繰り出し容器によれば、操作用つまみの延びた部分に、紐材を通すための貫通した紐材取付孔を形成したから、紐材取付孔に取り付けた紐材を手首や首などの巻いて、容器を手や首から下げることができるようになり、携帯するのに便利である。
【発明を実施するための最良の形態】
【００１８】
以下、添付された図面を参照して本発明の実施の形態を詳述する。
図１〜６は、本発明に係る棒状物の繰り出し容器の一例としての、チョークの繰り出し容器の一実施形態を示している。すなわち、チョークの繰り出し容器（以下、容器）２０は、ケース２１と、チョーク支持体（以下、支持体）２２と、チョーク支持こま（以下、支持こま）２３と、弾性部材としてのコイルスプリング２４と、を備えている。
【００１９】
前記ケース２１は、両端部が開放された略円筒形に形成され、その先端部を除く内周面に、螺旋溝２１Ａが形成されている。この場合、螺旋溝２１Ａの螺旋方向は、右ねじ態様に設定される。また、ケース２１の先端部内周面には、周方向に等角度（７２°）で隔てた複数（５つ）の略Ｖ字形の噛合溝２１Ｂを有するノッチ部２１ａが設けられている。この場合、噛合溝２１Ｂは、図１〜図３に示すように、ケース２１の円筒面形状である先端部内周壁の中心軸方向に沿う線部に沿って内側に略Ｖ字形に凹となり、かつ、略Ｖ字の山の稜線がテーパ状となって前方向に拡がる形状に形成される。
【００２０】
前記支持体２２は、その先端部側が前記ケース２１内に回転かつスライド自由に挿入されており、周壁に形成された軸方向に延びる複数（３つ）のスリット２２Ａによってそれぞれ複数（３つ）に分かれたバネ性を持つ拡縮可能な複数（３つ）の支持片２２ｂを有する先割れ構造に形成されている。この支持片２２ｂそれぞれの先端部の外面には、該支持片２２ｂの回転時の移動（後述する）によって前記噛合溝２１Ｂと選択的に噛合および非噛合が可能で、かつ、相互に周方向に等角度（１２０°）で隔てた１つずつ（全体では３つの）の略Ｖ字形の噛合爪２２Ｂを有するノッチ部２２ａが備えられている。この場合、噛合爪２２Ｂは、図１〜図３に示すように、支持体２２における各支持片先端部の円筒面形状である外面の中心軸方向に沿う線部に沿って外側に略Ｖ字形に凸となり、かつ、略Ｖ字の山の稜線がテーパ状となって前方向に拡がる形状に形成される。
【００２１】
そして、後述する支持体２２の回転によってケース２１先端部から該支持体２２先端部が所定長さ突出した状態となったときに、図２に示す如く、前記噛合溝２１Ｂと噛合爪２２Ｂとが非噛合となって前記複数の支持片２２ｂ同士が作る筒状部が拡径して前記支持体２２内のチョーク２７を非把持とし、該支持体２２が元位置に戻った状態では、図３に示す如く、前記噛合溝２１Ｂと噛合爪２２Ｂとが噛合して前記複数の支持片２２ｂ同士が作る筒状部が縮径して支持体２２先端部でチョーク２７を把持するようなっている。
【００２２】
支持体２２の後端部には、操作用つまみ２５が設けられており、その支持体２２の中心軸と直交する平面形状は、図６に示すように、該中心軸からずれた方向に延びた略卵形に形成に形成されており、操作用つまみ２５は、その回転軸と共に略Ｌ字形をなしており、丸形ではないため、容器２０を机などに置いたときに転がったりせず、安定して置くことができると共に、略卵形であるため、掌だけでなく、指にも当たり、操作用つまみ２５を手の中で回転（捻じり）させ易い（後述するチョークの繰り出し操作時）。なお、図６に示すように、操作用つまみ２５の延びた部分に、紐材を通すための貫通した紐材取付孔２５Ａを形成すると良く、紐材取付孔２５Ａに取り付けた紐材２８を手首や首などの巻いて、容器２０を手や首から下げることができ、携帯するのに便利なようになっている。
【００２３】
前記支持こま２３は、図５に示すように、円形板からなるベース２３Ａと、該ベース２３Ａの周部から突出する少なくとも１つのガイド爪２３Ｂとから構成されており、前記ベース部２３Ａが支持体２２内をスライド自由に配設されると共に、前記ガイド爪２３Ｂが該支持体２２周壁の１つのスリット２２Ａから突出して前記ケース２１の螺旋溝２１Ａにスライド自由に係合される。本実施形態においては、ベース２３Ａの周方向に等角度（１２０°）をもって離間した３つの位置にそれぞれガイド爪２３Ｂが設けられている。また、本実施形態においては、ベース２３Ａのチョーク当接面にクッション部材としてのコルク２６が装着される。
【００２４】
なお、上記のケース２１の螺旋溝２１Ａの支持こま２３のガイド爪２３Ｂに対する接触面を摩擦係数の小さい材質から形成すると良く、本実施形態においては、ケース２１全体がステンレスなどの摩擦係数の小さい、つまり、滑りの良い金属により製造される。
前記コイルスプリング２４は、ケース２１後端面と操作用つまみ２５との間の支持体２２外周部に挿通されており、該支持体２２を常時後方向（図１の右方向）にスライドするべく弾性付勢している。
【００２５】
そして、新しい長いチョーク２７を使用するときには、先ず、支持体２２をコイルスプリング２４を圧縮変形させながら押して、その先端部をケース２１先端部から前方に所定長さ突出させ、支持体２２の支持片２２ｂにおける噛合爪２２Ｂとケース２１における噛合溝２２Ｂとの噛み合い状態を解除した状態としつつ、支持体２２を固定した状態で、チョーク２７を該支持体２２内に押し込む。
【００２６】
これよって、支持こま２３がチョーク２７によって押され、これのガイド爪２３Ｂがケース２１の螺旋溝２１Ａに沿って移動しようとするため、ケース２１が回転しつつ支持こま２３が支持体２２内をスライド移動して最後部位置に位置されるため、チョーク２７を奥まで収納することができる。この場合、ケース２１がステンレスなどの摩擦係数の小さい金属により製造されているため、このケース２１の螺旋溝２１Ａと支持こま２３のガイド爪２３Ｂとの間の摩擦力が小さく、滑り易くなるため、ケース２１が簡単に回転して、支持こま２３の移動がスムーズになり、チョーク２７を素早く装着することができる。
【００２７】
或いは、支持体２２を左方向（図１のＸ矢印方向）に回転することにより、支持こま２３のガイド爪２３Ｂがケース２１の先端側から後端側に向かって螺旋溝２１Ａに沿って移動し、支持こま２３が支持体２２内を後方向にスライド移動して、最後部位置に位置される。従って、チョーク２７を、支持体２２内に挿入して、その後端部が支持こま２３のベース２３Ａのコルク２３Ｂに当接した状態にセットすれば良い。
【００２８】
次に、ケース２１を固定した状態で、支持体２２の操作用つまみ２５を右方向（図１のＹ矢印方向）に回転させると、螺旋溝２１Ａの下面が支持こま２３のガイド爪２３Ｂを繰り出し方向に押すことになり、その反作用でケース２１に繰り出し方向と逆方向の力が作用することになる。その結果、支持体２２の先端部がケース２１の先端部から所定長さ突出し、図２に示すように噛合爪２２Ｂと噛合溝２１Ｂとの噛合が解除される。そして、更に支持体２２を回転することにより、支持こま２３のガイド爪２３Ｂがケース２１の後端部から先端部に向かって螺旋溝２１Ａに沿って移動し、支持こま２３が支持体２２内を前方向にスライドし、チョーク２７が支持体２２の先端部から繰り出される。
【００２９】
支持体２２はコイルスプリング２４によって常時後方向にスライドするべく弾性付勢されているため、その回転により、次段の噛合爪２２Ｂと噛合溝２１Ｂとの位置が合致したときに、後方位置に復動して元位置に戻った状態では、図３に示すように噛合爪２２Ｂと噛合溝２１Ｂとが噛合が行われ、支持体２２先端部によりチョーク２７が把持されると共に、支持体２２の回転が停止される。そして、再度、支持体２２を回転することにより、上記したことと同様の作用が行われて、チョーク２７が支持体２２の先端部から繰り出される。
【００３０】
従って、チョーク２７の繰り出し操作時に、支持体２２を回転させると、噛合爪２２Ｂが噛合溝２１Ｂに対して、噛合状態から非噛合状態、非噛合状態から噛合状態となる動作、所謂、ノッチが行われ、ノッチ毎に、チョーク２７が所定量ずつ繰り出される。なお、ケース２１の方を回転させても、チョーク２７を繰り出すことができる。
【００３１】
上述のような動作において、チョーク２７の使用中にこれに押圧力が加わっても、チョーク２７が引っ込むことはなく、支持体２２或いはケース２１を回転させるだけで、片手で簡単にチョーク２７の繰り出し長さの調節が行え、手も汚れない。また、チョーク２７を支持体２２先端部で把持し、かつ、支持こま２３により支持してあるため、支持点が２カ所となって、チョーク２７を安定して支持でき、折れ難いと共に、チョーク２７が短くなっても、支持状態が安定しているがため、最後まで使い切ることができる。
【００３２】
さらに、支持こま２３のスライド動作により、チョーク２７を繰り出す構成であるため、チョークの繰り出し容器２０全長は、支持体２２の長さ分で決まり、長くならないため、コンパクトで使用し易く、構成部品も少ないため、構成が簡単である。また、支持こま２３のベース２３Ａにコルク２６を装着してあるため、チョーク２７の使用時に、これに多大な押さえ力が作用しても、チョーク２７を安定支持でき、チョーク２７の割れなどを防止できる。さらに、それぞれ３つのスリット２２Ａおよびガイド爪２３Ｂにより、支持こま２３を支持しているため、支持こま２３のガイド爪２３Ｂが螺旋溝２１Ａに倒れなどが生じずに安定してスムーズに移動する。
【００３３】
特に、ケース２１のノッチ部２１ａにおける噛合溝２１Ｂの全体の形成数は、支持体２２の支持片２２ｂのノッチ部２２ａにおける噛合爪２２Ｂの全体の形成数よりも、その倍数を除いた大きい数、例えば、噛合爪２２Ｂの全体の形成数が３つ、噛合溝２１Ｂの全体の形成数が５つにそれぞれ設定されているため、常時１つの噛合爪２２Ｂがいずれか１つの噛合溝２１Ｂに噛合するだけであるため、噛合爪２２Ｂが噛合溝２１Ｂに対して、噛合状態から非噛合状態、非噛合状態から噛合状態となる動作、所謂、ノッチが軽くなる。
【００３４】
この場合、噛合爪２２Ｂと噛合溝２１Ｂとが１５回（３×５）噛み合うため、２４°（３６０÷１５）毎のノッチとなり、ノッチ毎にチョーク２７が繰り出されるため、この繰り出し長さをより微量ずつ調節することができる。なお、その他、例えば、噛合爪２２Ｂの全体の形成数を３つ、噛合溝２１Ｂの全体の形成数を４つにそれぞれ設定しても良いし、噛合爪２２Ｂの全体の形成数を４つ、噛合溝２１Ｂの全体の形成数を５つにそれぞれ設定するなどしても良く、噛合溝２１Ｂの全体の形成数が、支持体２２の支持片２２ｂのノッチ部２２ａにおける噛合爪２２Ｂの全体の形成数よりも、その倍数を除いた大きい数であれば、任意の数に設定することができる。
【００３５】
なお、上記実施形態においては、本発明を、チョークの繰り出し容器２０に適用したが、その他、修正棒、カラーステック、棒状糊、棒状消しゴムなどの棒状物を保持して、回転動作により繰り出す棒状物の繰り出し容器であれば良い。
【産業上の利用可能性】
【００３６】
ケースのノッチ部における噛合溝の全体の形成数と棒状物支持体の噛合爪の全体の形成数との関係の改善によって、噛合爪が噛合溝に対して、噛合状態から非噛合状態、非噛合状態から噛合状態となる動作、所謂、ノッチを軽くして、棒状物の繰り出しに係わる操作性をより向上できるため、黒板に字などを書くため使用されるチョークの繰り出し容器に有利となる。
【図面の簡単な説明】
【００３７】
【図１】図１は、本発明に係る棒状物の繰り出し容器の一例としてのチョークの繰り出し容器の一実施形態を示す正面断面図である。
【図２】図２は、同上のチョークの繰り出し容器において、ケースおよび支持体のノッチ部の構成と作用を説明する図で、噛合溝と噛合爪の非噛合状態を示す平面図ある。
【図３】図３は、同様の作用を説明する図で、噛合溝と噛合爪の噛合状態を示す平面図ある。
【図４】図４は、図１中Ａ−Ａ矢視断面図である。
【図５】図５は、同上のチョークの繰り出し容器におけるチョーク操作用つまみの平面図である。
【図６】図６は、同上のチョークの繰り出し容器におけるチョーク支持こまの平面図である。
【図７】図７は、従来のチョーク保持具の正面図である。
【図８】図８は、従来の棒状物繰り出し容器の正面断面図である。
【符号の説明】
【００３８】
２０  チョークの繰り出し容器
２１  ケース
２１Ａ  螺旋溝
２１ａ  ノッチ部
２１Ｂ  噛合溝
２２  チョーク支持体
２２Ａ  スリット
２２ａ  ノッチ部
２２Ｂ  噛合爪
２２ｂ  支持片
２３  チョーク支持こま                                                 
２３Ａ  ベース
２３Ｂ  ガイド爪
２４  コイルスプリング
２５  操作用つまみ
２５Ａ  紐材取付孔
２７  チョーク
２８  紐材
【図１】
2009184298.tif 000003
【図２】
2009184298.tif 000004
【図３】
2009184298.tif 000005
【図４】
2009184298.tif 000006
【図５】
2009184298.tif 000007
【図６】
2009184298.tif 000008
【図７】
2009184298.tif 000009
【図８】
2009184298.tif 000010